(57)【特許請求の範囲】
【請求項１】
引戸１に取付けられた錠ケースに出没自在に設けられた鎌片８を係止するために戸枠１５に組込まれた引戸用鎌錠のストライクに於いて、ケース状のストライク本体１６の前面板１８に摺動可能なブロック状の掛合部材１９を昇降動自在に設け、この掛合部材１９は、バネ部材２０により常時鎌片と掛合する上下方向へ付勢され、また掛合部材１９は、前記ストライク本体１６の前記前面板１８の内壁面と面接触すると共に、その左右端部がストライク本体１６に形成した左右の切欠部２６，２６にそれぞれ係合し、さらに、掛合部材１９に対する前記鎌片の掛合時、戸枠１５と引戸との間に若干の間隙ａが生じていても、鎌片８の先端部は、ストライク本体１６の固定枠背面部１７ａに対して所定間隔離間する掛合部材１９の傾斜状掛合面２４に係止されていることを特徴とする引戸用鎌錠のストライク。
【請求項２】
引戸１に取付けられた錠ケースに出没自在に設けられた鎌片８Ａを係止するために戸枠１５に組込まれた引戸用鎌錠のストライクに於いて、ケース状のストライク本体１６の前面板１８に摺動可能なブロック状の掛合部材１９Ａを昇降動自在に設け、この掛合部材１９Ａはバネ部材２０により常時鎌片と掛合する方向へ付勢され、また該掛合部材１９Ａは、前記ストライク本体１６の前記前面板１８の内壁面と面接触すると共に、その左右端部がストライク本体１６に形成した左右の切欠部２６，２６にそれぞれ係合し、さらに、掛合部材１９Ａに対する前記鎌片の掛合時、戸枠１５と引戸との間に若干の間隙ａが生じていても、鎌片８の先端部は、ストライク本体１６の固定枠背面部１７ａに対して所定間隔離間する掛合部材１９Ａの下向き或は上向きの断面階段状掛合面２４Ａに係止されていることを特徴とする引戸用鎌錠のストライク。
【発明の詳細な説明】
【０００１】
【発明の属する技術分野】
本発明は、引戸用鎌錠のストライクに関する。
【０００２】
【従来の技術】
引戸用の鎌錠（戸先錠）は、引戸の縦框に取り付けられる。この鎌錠は錠ケース内にシリンターダルマ又はサムターンダルマの駆動力によって掛合方向へと出没自在に回転する鎌片を備えている。一方、鎌片が係脱するストライクは、引戸用の戸枠に適宜に組込まれている。
【０００３】
この種の戸先錠（鎌錠）を有する引戸は、戸枠に嵌め込む場合に、地震などの揺れを考慮し、普通一般に若干の間隙を設けている。この間隙は、例えば１ｍｍ〜５ｍｍ程度である。このような場合、引戸を閉じた際に鎌片は、戸枠と引戸との間隙の大小に拘わらず、いわゆるガタがなく掛合部材に係止されるのが望ましい。
【０００４】
一方、引戸如何によっては、いわゆる跳ね返り現象が生じる場合がある。このような場合に於いて、しばしば若干の隙間があるのにも拘わらず、鎌片をストライクの掛合部材に掛け合わせる時がある。このような時、シリンターダルマ又はサムターンダルマを強制的に回すのではなく、引戸を単に閉めるだけで所望の掛合状態を達成することができれば問題はない。
【０００５】
そこで、現在、複雑な構成を採用することなく、上述した幾つかの要望を満たすことができる引戸用鎌錠のストライクの出現が期待されている。
【０００６】
【発明が解決しようとする課題】
本発明の第１の目的は、戸枠と引戸との間隙の大小に拘わらず、鎌片をいわゆるガタなく掛合部材に係止させることができることである。第２の目的は、構成する部品点数を少なくすることである。第３の目的は、鎌錠装置の取り付け作業の効率化を図ることができることである。
【０００７】
【課題を解決するための手段】
本発明の引戸用鎌錠のストライクは、引戸１に取付けられた錠ケースに出没自在に設けられた鎌片８を係止するために戸枠１５に組込まれた引戸用鎌錠のストライクに於いて、ケース状のストライク本体１６の前面板１８に摺動可能なブロック状の掛合部材１９を昇降動自在に設け、この掛合部材１９は、バネ部材２０により常時鎌片と掛合する上下方向へ付勢され、また掛合部材１９は、前記ストライク本体１６の前記前面板１８の内壁面と面接触すると共に、その左右端部がストライク本体１６に形成した左右の切欠部２６，２６にそれぞれ係合し、さらに、掛合部材１９に対する前記鎌片の掛合時、戸枠１５と引戸との間に若干の間隙ａが生じていても、鎌片８の先端部は、ストライク本体１６の固定枠背面部１７ａに対して所定間隔離間する掛合部材１９の傾斜状掛合面２４に係止されていることを特徴とする。
【０００９】
【発明の実施の形態】
図１乃至図５により本発明の実施形態の第１実施例を説明する。まず１は鎌錠Ｘを有する引戸、２は引戸１の縦框に内装された錠ケースで、該錠ケース２は鎌錠Ｘの構成の一部を成す。３は錠ケースの開口部４側に固定されたフロント、５は制御部材の一例としてのサムターン本体、６はサムターンダルマ、７は制御部材によって制御される駆動部材、８は駆動部材によって回転する鎌片である。
【００１０】
次に前記各部材について簡単に説明する。引戸１は、本実施例では「戸先錠」と称されるものを意味する。したがって、錠ケース２に出没自在に設けられた鎌片８は、戸枠側に設けられたストライクＹの掛合部材１９に係脱する。錠ケース２は、室内側に仮想線で示すサムターン本体５を、一方、室外側にキーによって回転する図示しないシリンダーを備えている。サムターンダルマ６は中心部に係合孔を有すると共に、その同芯円上の一部に制御ギヤ６ａが設けられている。駆動部材７はサムターンダルマ６と鎌片８との間に介在し、かつ、錠ケース２に横設軸架された固定横軸９に軸支されている。駆動部材７は半径方向へ多少突出する駆動腕７ａ及び前記制御ギヤ６ａに噛合するセクターギヤ７ｂを有している。
【００１１】
鎌片８は、固定支軸１０に軸支され、フロント３から突出する先端部８ａ、該先端部に連設する首部８ｂ、該首部に連設する後端部８ｃに区分けされている。図１を基準にすると、鎌片８の後端部８ｃには斜め方向に案内長孔１１が形成され、該案内長孔１１には駆動ピン１２が遊嵌合している。このように引戸１には錠ケース，制御部材，駆動部材，鎌片などから構成されている鎌錠Ｘが設けられている。
【００１２】
一方、戸枠１５には鎌片の受け部材であるストライクＹが取付けられている。このストライクＹは、本実施例では、ケース状の固定枠１７及び該固定枠１７の開口部に固定された前面板１８とから成るストライク本体１６と、このストライク本体１６内に摺動自在に設けられた掛合部材１９と、この掛合部材１９を鎌片８の掛合う方向へ付勢するバネ部材２０とから構成されている。
【００１３】
しかして、掛合部材１９は、ストライク本体１６の前面板１８の内壁面と面接触する垂直スライド面２１と、この垂直スライド面２１と交差する水平面２２と、この水平面２２及び前記垂直スライド面２１にそれぞれ交差する直角三角形状の左右側壁面２３，２３と、ストライク本体１６の固定枠背面部１７ａに対して斜め方向に傾斜する掛合面２４とをそれぞれ有するブロック体である。
【００１４】
そして、前記水平面２２にはバネ部材２０の下端部を支持する計２個のバネ用支持穴２５が形成されている。また前記垂直スライド面２１と直角三角形状の左右側壁２３，２３の両辺には、ストライク本体１６の固定枠左右側壁部１７ｂ，１７ｂに形成した切欠部２６，２６にそれぞれ係合する摺動凸条（耳部）２７，２７が設けられている。なお、２８はストライク本体１６に形成された鎌片用窓で、この鎌片用窓２８の開口幅は、掛合面２４の摺接幅を考慮してやや幅広に形成されている。
【００１５】
上記構成においては、引戸１と戸枠１５との間に若干の隙間ａ、例えば１ｍｍ，３ｍｍ，５ｍｍがあっても、つまり、引戸１を閉めた場合において、引戸１と戸枠１５との間に若干の隙間ａがあっても、間隙ａの大小に拘わらず、ガタなく鎌片８を掛合部材１９に係止させることができる。
【００１６】
図４は引戸１を閉じた時、隙間ａが、例えば３ｍｍある場合を想定した説明図である。この場合鎌片８が制御部材（サムターンダルマ，シリンダーダルマ等）５及び駆動部材７の駆動力により時計方向へ回転すると、掛合部材１９は鎌片８の先端部８ａによりバネ部材２０のバネ力に抗して押し上げられる。したがって、鎌片８は、図５で示すように間隙ａの大小に拘わらず、ガタがなく掛合部材１９の掛合面２４に係止される。
【００１７】
ところで、この実施例では、引戸１をさらに閉めることが可能な場合（例えば間隙が１ｍｍ程度までＯＫの場合）、引戸１を手で引き寄せることが可能である。図１は引戸１を引き寄せた場合において、鎌片８がスクライクＹの掛合部材１９に略完全な状態に掛合した時の説明図である。このように、この実施例では引戸１の引き寄せが可能な場合には、鎌片８は隙間（引戸の閉鎖位置）ａに対応してガタなく掛合部材１９の掛合面２４に係止される。
【００１８】
【実施例】
第１実施例では、掛合部材１９の掛合面２４は、図１を基準にすると下向きであるが、これは鎌片８との係合関係を考慮したものである。したがって、鎌片８の取付け如何によって鎌片８の先端部８ａが下向きに係合する場合には、当然掛合部材８の向きも変わる（掛合面２４は当然上向き）。
【００１９】
次に第１実施例と主要部が同一である第２実施例について説明する。なお、第２実施例を説明するに当たって、前記第１実施例と構成上同一の部分には同一又は同様の符号を付し、重複する説明を省略する。
【００２０】
第２実施例において、第１実施例と主に異なる点は掛合部材１９Ａの掛合面２４Ａが段差状に形成されていることである。すなわち、掛合部材１９Ａの掛合面２４Ａが、図７で示すように下向きの断面階段状に形成され、この下向き階段状掛合面２４Ａに鎌片８Ａの先端部８ａが引戸１の隙間に対応して係合する。
【００２１】
したがって、鎌片８Ａの先端部８ａは、第１実施例では指状に形成されているのに対し、第２実施例では「爪状」に形成されている。
【００２２】
しかして、この第２実施例の作用・効果は、例えば図９及び図１０で示すように第１実施例と同様なので重複する説明を省略する。
【００２３】
【発明の効果】
以上の説明から明らかなように、本発明にあっては、次に列挙するような作用・効果がある。
（１）掛合部材（１９，１９Ａ）にバネ部材２０のバネ力が常に作用しているので、間隙ａの大小に拘わらず、掛合部材は鎌片（８，８Ａ）に密着する。したがって、引戸を閉じた際に間隙ａがあっても、鎌片は間隙ａの大小に拘わらず、いわゆるガタがなく掛合部材（１９，１９Ａ）の掛合面（２４，２４Ａ）に係止される。
（２）引戸をさらに閉めることが可能な場合（例えば間隙が１ｍｍ程度までＯＫの場合）には、引戸を単に手で引き寄せることが可能である。この場合第１実施例は掛合部材１９の掛合面２４が傾斜状に形成されているので、また第２実施例は断面階段状に形成されているので、隙間を所望する位置まで小さくすることができる。
（３）構成する部品点数を少なくすることができる。
（４）鎌錠装置の取り付け作業の効率化を図ることができる。
（５）掛合部材はガタガタせず、安定的に昇降動する。
（６）引戸と戸枠の隙間を段階的に小さくすることができる。
【図面の簡単な説明】
図１乃至図５は本発明の第１実施例を示す各説明図。図６乃至図１０は本発明の第２実施例を示す各説明図。
【図１】発明の実施形態の一例を示す概略説明図（引戸を手で引き寄せた場合における掛合状態の一例）。
【図２】図１に対し、鎌片が掛合部材から外れた状態の一例を示す概略説明図。
【図３】主要部材の分解斜視図。
【図４】引戸を閉めた場合において、隙間がある状態で鎌片を掛合方向へ回転させた場合の作動状態を示す説明図。
【図５】図４において、鎌片が掛合部材に掛合した場合の概略説明図。
【図６】発明の実施形態の一例を示す概略説明図（引戸を手で引き寄せた場合における掛合状態の一例）。
【図７】図１に対し、鎌片が掛合部材から外れた状態の一例を示す概略説明図。
【図８】主要部材の分解斜視図。
【図９】引戸を閉めた場合において、隙間がある状態で鎌片を掛合方向へ回転させた場合の作動状態を示す説明図。
【図１０】引戸を手で引き寄せた場合における掛合状態の一例を示す概略説明図。
【符号の説明】
Ｘ…鎌錠、Ｙ…ストライク、
１…引戸、２…錠ケース、３…フロント、５…制御部材、６…サムターンダルマ、７…駆動部材、８，８Ａ…鎌片、９…固定横軸、１０…固定支軸、１１…案内長孔、１２…駆動ピン、１５…戸枠、１６…ストライク本体、１７…固定枠、１８…前面板、１９，１９Ａ…掛合部材、２０…バネ部材、２１…垂直スライド面、２４，２４Ａ…掛合面、２６…切欠部、２７…摺動凸条、２８…鎌片用窓、ａ…間隙。
【図１】
0004235346.tif 000002
【図２】
0004235346.tif 000003
【図３】
0004235346.tif 000004
【図４】
0004235346.tif 000005
【図５】
0004235346.tif 000006
【図６】
0004235346.tif 000007
【図７】
0004235346.tif 000008
【図８】
0004235346.tif 000009
【図９】
0004235346.tif 000010
【図１０】
0004235346.tif 000011